(57)【要約】      （修正有）【課題】デザイン的な自由度があり外観品質に富むと共に持ち運びやすい財布型文房具を提供する。【解決手段】見開き開閉可能に形成されたケースと、ケース内に着脱可能に固定されると共に、ケースが閉じられた場合には内部に収納されるノート状文房具とを備えた。【選択図】図２
0003161162.tif 000002
【実用新案登録請求の範囲】
【請求項１】
見開き開閉可能に形成されたケースと、上記ケース内に着脱可能に固定されると共に、上記ケースが閉じられた場合には内部に収納されるノート状文房具とを備えたことを特徴とする財布型文房具。
【請求項２】
上記ケースは全体略薄型がま口状に形成され、ヒンジ部と、上記ヒンジ部を中心に回動可能に固定された一対のフレーム部と、上記フレーム部に固定されたケース本体部とを有し、上記ケース本体部の内側面部には、上記ノート状文房具の表紙及び裏表紙を挿入固定することができるポケット部が設けられていることを特徴とする請求項１記載の財布型文房具。
【請求項３】
上記ケース本体部の表面部側には装飾材が配設されていると共に、上記一対のフレーム部には、双方のフレーム部を開閉可能に固定しうる係合部が設けられていることを特徴とする請求項２記載の財布型文房具。
【考案の詳細な説明】
【技術分野】
【０００１】
本考案は財布型文房具に関する。
【背景技術】
【０００２】
従来より、様々な形態の手帳が製造され販売されている。例えば、オーガナイザーと呼ばれる革製もしくは合皮製のケース内にリフィルと呼ばれる使用者が自由に記載することができるノートが収納された手帳が多く出回っている。
しかしながら、このような従来のオーガナイザーと呼ばれる手帳にあっては、概ね、革製又は合皮製のケースにリフィルが綴じられており、ケースの形状に制限があることから手帳としてのデザイン的な自由度に欠けていた。
【考案の開示】
【考案が解決しようとする課題】
【０００３】
本考案の課題は、デザイン的な自由度があり外観品質に富む財布型文房具を提供することにある。
【課題を解決するための手段】
【０００４】
上記課題を解決するため、請求項１記載の考案にあっては、見開き開閉可能に形成されたケースと、上記ケース内に着脱可能に固定されると共に、上記ケースが閉じられた場合には内部に収納されるノート状文房具とを備えたことを特徴とする。
【０００５】
ここで、「ノート状文房具」とは、いわゆるノート、又は、書類や葉書、名刺等を収納しうる透明ビニール製のポケット式ファイル等、複数ページを有する文房具をいう。従って、上記ノート状文房具は上記ケース内に収納されることから、本考案に係る財布型文房具を持ち歩く場合にも一見してノートやポケット式ファイルを持ち歩いているようには見えない。
【０００６】
請求項２記載の考案にあっては、上記ケースは全体略薄型がま口状に形成され、ヒンジ部と、上記ヒンジ部を中心に回動可能に固定された一対のフレーム部と、上記フレーム部に固定されたケース本体部とを有し、上記ケース本体部の内側面部には、上記ノート状文房具の表紙及び裏表紙を挿入固定することができるポケット部が設けられていることを特徴とする。
【０００７】
従って、請求項２記載の考案にあっては、上記ケース本体部の内側面部には、上記ノート状文房具の表紙及び裏表紙を挿入固定することができるポケット部が設けられていることから、上記ノート状文房具は上記ポケット部に着脱可能に収納することができるため、ノート又は上記ポケット式ファイルを使い終えた場合には、新たなノート又はポケット式ファイルと交換することができる。
【０００８】
請求項３記載の考案にあっては、上記ケース本体部の表面部側には装飾材が配設されていると共に、上記一対のフレーム部には、双方のフレーム部を開閉可能に固定しうる係合部が設けられていることを特徴とする。
従って、上記ノート状文房具を使用しない際には、上記係合部により上記ケースを開閉不可能に固定しておくことができる。
【考案の効果】
【０００９】
請求項１記載の考案にあっては、上記ノートやポケット式ファイル等のノート状文房具は上記ケース内に収納されることから、本考案に係る財布型文房具を持ち歩く場合にも、一見してノートやポケット式ファイルを持ち歩いているようには見えず、財布型文房具という新たな商品を提案することができる。
【００１０】
請求項２記載の考案にあっては、請求項１の効果に加えて、全体がま口状に形成された上記ケース本体部の内側面部には、上記ノート部の表紙及び裏表紙を挿入固定することができるポケット部が設けられていることから、上記ノート部は上記ポケット部に着脱可能に収納することができるため、ノート部を使い終わった場合には、その使い終わったノート部を取り出し、新たなノート部を上記ポケット部に挿入して使用することができる。
【００１１】
その結果、全体ががま口状に形成されて良好な外観品質を有し、ノート状文房具を何度も取り替えて使用することができる財布型文房具を提供することができる。
【００１２】
請求項３記載の考案にあっては、上記ノート状文房具を使用しない際には、上記係合部により上記一対のケースを閉じた状態に固定しておくことができることから外観上は文房具には見えず、より外観品質に富んだ財布型文房具を提供することができる。
【図面の簡単な説明】
【００１３】
【図１】本考案に係る財布型文房具の一実施の形態を示し、フレーム部の係合部の係合を解除して、ケース部を部分的に開放した状態を示す図である。
【図２】本考案に係る財布型文房具の一実施の形態を示し、フレーム部の係合部を係合させ、ケース部を完全に閉じた状態を示す斜視図である。
【図３】本考案に係る財布型文房具の一実施の形態を示し、フレーム部の係合部の係合を解除して、ケース部を完全に開放した状態を示す図である。
【考案を実施するための最良の形態】
【００１４】
以下、添付図面に示す実施の形態に基づき、本考案を、ノート状文房具として薄型のノートを採用した場合を例に詳細に説明する。
図１に示すように、本実施の形態に係る財布型文房具１０は、見開き開閉可能に形成された、全体が、略薄型がま口状に見えるケース１１と、上記ケース１１内に着脱可能に固定される薄型のノート１２とを備えている。
【００１５】
また、図２に示すように、上記ノート１２は上記ケース１１が閉じられた場合には、上記ノート１２は外方から視認できないように被覆されるように構成されている。
【００１６】
上記ケース１１は、ヒンジ部１３と、上記ヒンジ部１３を中心に回動可能に固定された一対のコ字状のフレーム部１４、１４と、上記フレーム部１４、１４に固定されたケース本体部１５とを有し、上記ケース本体部１５の内側面部には、上記ノート１２の表紙１６及び裏表紙１７を挿入固定することができるポケット部１８が設けられている。
【００１７】
上記ケース本体部１５の表面部側には装飾材としてのフェイクファーが配設されていると共に、上記一対のフレーム部１４、１４には、双方のフレーム部１４、１４を開閉可能に固定しうる係合部２０、２０が設けられている。
上記係合部２０、２０は先端部に球状部２１、２１が形成されたスナップ部により構成されている。
【００１８】
このように構成された財布型文房具１０は、通常持ち歩く際等、薄型ノート１２を使わない場合には、図２に示すように、ケース１１を閉じ、上記フレーム部１４、１４の上記係合部２０、２０を相互に係合させる。
この場合には、上記薄型のノート１２は上記ケース１１により略完全に被覆され、全体は薄型のがま口状の財布のように見える。従って、この状態で持ち運んだ場合には、上記ケース本体部１５の装飾材としてのフェイクファーも相俟って、ノートを持ち歩いているようには見えない。
【００１９】
また、手帳として使用する場合には図１及び図３に示すように、上記係合部２０、２０を解除させて、ケース１１をヒンジ部１３を中心に完全に開放させた状態で、薄型ノート１２を露出させて手帳として使用する。
【００２０】
本実施の形態にあっては、上記ケース本体部１５、１５の表面にフェイクファーを配設した場合を例に説明したが、上記実施の形態に限定されない。
また、本実施の形態にあっては、上記ケース部１２、１２が全体薄型がま口状に形成された場合を例に説明したが、ケース部の全体形状は上記実施の形態に限定されない。
さらに、本実施の形態にあっては、ノート状文房具として薄型のノートを例に説明したが、上記実施の形態に限定されず、例えば、複数ページで構成されたポケット式ファイルであってもよい。
【産業上の利用可能性】
【００２１】
本考案は、広く財布型文房具に適用することができる。
【符号の説明】
【００２２】
１０  財布型文房具
１１  ケース
１２  ノート（ノート状文房具）
１３  ヒンジ部
１４  フレーム部
１５  ケース本体部
１６  表紙
１７  裏表紙
１８  ポケット部
２０  係合部
２１  球状部
【図１】
0003161162.tif 000003
【図２】
0003161162.tif 000004
【図３】
0003161162.tif 000005